(57)【特許請求の範囲】
【請求項１】
複数の入力チャンネルと、それぞれの該入力チャンネル毎に設けられ該入力チャンネルを伝送される入力オーディオ信号を入力側信号処理情報に従って処理する複数の入力側信号処理ユニットと、複数の出力チャンネルと、それぞれの該出力チャンネル毎に設けられ該出力チャンネルを伝送される出力オーディオ信号を出力側信号処理情報に従って処理する複数の出力側信号処理ユニットと、該複数の入力側信号処理ユニットの各出力端と該複数の出力側信号処理ユニットの各入力端とを接続情報に従って互いに接続する接続手段と、を備えた信号処理手段と、
互いに異なる上記入力チャンネルが任意に割り当てられると共に互いに異なる上記出力チャンネルが任意に割り当てられかつ互いに異なるところに設置可能な複数の操作部と、
を具備し、
上記複数の操作部のそれぞれは、自身に割り当てられた上記入力チャンネルに設けられている上記入力側信号処理ユニットを制御するための上記入力側信号処理情報を生成する入力側信号処理制御用操作子と、自身に割り当てられた上記出力チャンネルに設けられている上記出力側信号処理ユニットを制御するための上記出力側信号処理情報を生成する出力側信号処理制御用操作子と、該自身に割り当てられた入力チャンネルに設けられている入力側信号処理ユニットの上記出力端を該自身に割り当てられた出力チャンネルに設けられている出力側信号処理ユニットの上記入力端のいずれに接続するのかを表す上記接続情報を生成する接続制御用操作子と、を備え、
上記接続制御用操作子は、該接続制御用操作子を備える上記操作部に割り当てられた上記出力チャンネルに設けられている上記出力側信号処理ユニットの上記入力端を、該操作部に対して非割り当てとされておりかつ上記入力オーディオ信号としてモニタ用の基準音響信号が入力されている上記入力チャンネルに設けられている上記入力側信号処理ユニットの上記出力端に接続するための上記接続情報をも生成可能とされた、
オーディオミキサ。
【発明の詳細な説明】
【０００１】
【発明の属する技術分野】
本発明は、オーディオミキサに関し、特にオーディオミキサを構成する信号処理部とこれを制御する操作部とがそれぞれ独立した状態にあるものに関する。
【０００２】
【従来の技術】
従来、上記のように信号処理部と操作部とがそれぞれ独立した状態で構成されているオーディオミキサとして、例えば図４に示すようなものがある。即ち、同図における１が信号処理部、１００が操作部で、これら信号処理部１と操作部１００とは、制御ケーブル２００を介して相互に接続されている。
【０００３】
上記信号処理部１の内部構成を図５に示す。この信号処理部１は、例えばＤＳＰ（ディジタル信号処理装置）により構成されており、同図（ａ）に示すように、複数の入出力チャンネル、例えば２５６個の入力チャンネルと例えば３２個の出力チャンネルとを有している。そして、各入出力チャンネルには、それぞれを伝送されるオーディオ信号の音響特性を調整するための信号処理ユニット１１が設けられている。なお、この信号処理ユニット１１は、例えば上記オーディオ信号の周波数特性を調整するためのフィルタ１２や、信号レベルを調整するためのフェーダ１３により構成されている。
【０００４】
また、各入出力チャンネルは、それぞれ行と列とに分かれてマトリクスを形成しており、各入出力チャンネルが交差する部分には、同図（ｂ）（同図（ａ）において点線で囲まれた部分１４を拡大した図）に示すように、それぞれ各入出力チャンネル間（詳しくは各入出力チャンネルに設けられた信号処理ユニット間）を接続又は非接続状態に切り換える接続手段、例えばスイッチ回路１５が設けられている。即ち、これら各スイッチ回路１５を任意にＯＮ／ＯＦＦすることにより、上記各入力チャンネルから入力されたオーディオ信号を任意に混合及び分配して、上記各出力チャンネルへと出力することができる。
【０００５】
一方、上記信号処理部１を制御する操作部１００は、図４に示すように、複数の入力チャンネルモジュール１０１と複数の出力チャンネルモジュール１０２とを備えている。そして、これら各モジュール１０１、１０２に、上記信号処理部１の各入出力チャンネルに設けられた各信号処理ユニット１１（即ちフィルタ１２やフェーダ１３）の制御がそれぞれ割り当てられている。即ち、各モジュール１０１、１０２には、上記フィルタ１２の周波数特性を調整するための回転ツマミ１０３や、上記フェーダ１３のレベルを調整するためのスライドツマミ１０４等が設けられている。これらのツマミ１０３、１０４を操作すると、これに応じた操作信号がこの操作部１００内にあるＣＰＵ（中央演算プロセッサ：図示せず）に送られ、ＣＰＵは、上記操作信号に応じた制御信号を制御ケーブル２００を介して信号処理部１に送信する。そして、信号処理部１内において、上記各ツマミ１０３、１０４に対応する各フィルタ１２及び各フェーダ１３が、上記制御信号に従って、即ち上記各ツマミ１０３、１０４の操作状態に応じた信号処理情報に従って制御される。これにより、各入出力チャンネルを伝送されるオーディオ信号の周波数特性及び信号レベルの調整が実現される。
【０００６】
なお、上記各入力チャンネルモジュール１０１は、信号処理部１の各入力チャンネルに設けられた各信号処理ユニット１１に対してそれぞれ固定的に対応しているのではなく、いずれの入力チャンネルモジュール１０１に対していずれの入力チャンネルに設けられた信号処理ユニット１１の処理の制御を割り当てるのかを、自由に設定できる。しかも、１つの入力チャンネルモジュール１０１に対して、複数の入力チャンネルにそれぞれ設けられた複数の信号処理ユニット１１の処理の制御を割り当てることもでき、これにより１つの入力チャンネルモジュール１０１の操作によって、上記複数の信号処理ユニット１１を一斉に制御することができる。なお、この割り当て制御については、各出力チャンネルモジュール１０２に対して、各出力チャンネルの各信号処理ユニット１１を割り当てる場合にも同様である。また、これら各モジュール１０１、１０２に対する各信号処理ユニット１１の割り当ては、例えば操作部１００に設けられている図示しない割当制御用の操作子、例えばキーボードからのキー入力により制御される。
【０００７】
そして、信号処理部１内の各入出力チャンネル間（各入出力チャンネルの信号処理ユニット１１間）に設けられた各スイッチ回路１５のＯＮ／ＯＦＦ制御、つまりは各信号処理ユニット１１間をどのように接続するかについても、操作部１００により制御される。即ち、操作部１００には、上記各スイッチ回路１５制御用の操作子、例えば図示しないキーボードやタッチディスプレイ等が設けられている。このキーボード又はタッチディスプレイを操作すると、これに応じた操作信号が上述したＣＰＵに送られ、ＣＰＵは、この操作信号に応じた制御信号を制御ケーブル２００を介して信号処理部１に送信する。そして、信号処理部１内において、上記制御信号に従って、即ち上記キーボードやタッチディスプレイの操作状態に応じた所謂接続情報に従って、上記各スイッチ回路１５がＯＮ／ＯＦＦ制御される。そして、この各スイッチ回路１５のＯＮ／ＯＦＦ制御に従って、各入力チャンネルから入力されたオーディオ信号が混合及び分配され、各出力チャンネルへと出力されることになる。
【０００８】
【発明が解決しようとする課題】
上記のような２５６チャンネルもの入力チャンネル数と３２チャンネルもの出力チャンネル数とを有する所謂多チャンネル型のオーディオミキサは、例えば放送局やレコーディングスタジオ等のように非常に大掛かりでかつ複雑な音響調整作業を行うところに設置される。しかし、通常の音響調整作業において、このような２５６チャンネルもの入力チャンネル数と３２チャンネルもの出力チャンネル数とを必要とするのは（即ち２５６もの入力信号と３２もの出力信号とを扱うことは）非常に稀であり、殆どの場合、入力チャンネル数が例えば３２乃至６４チャンネル、出力チャンネルが例えば４乃至８チャンネルもあれば十分に対処できる。従って、上記オーディオミキサは、通常の音響調整作業に対しては過剰仕様であり、もしこのオーディオミキサを通常の音響調整作業に使用した場合、非常に多くの入出力チャンネルが使われない（遊んだ）状態となり、非常に不経済であるという問題がある。特に、オーディオミキサは、入出力チャンネル数が多くなるほど高価（高級）になるので、上記のように多くの入出力チャンネルを遊ばせるのは非常に無駄である。
【０００９】
本発明は、上記のような多チャンネル型の信号処理部１に、複数の操作部を設け、これら各操作部にそれぞれ異なる入出力チャンネルを個別に割り当て、各操作部によってそれぞれに割り当てられた上記各入出力チャンネルを独立して制御可能とすることにより、上記各入出力チャンネルを極力遊ばせること無く有効に使用することのできるオーディオミキサを提供することを目的とする。
【００１０】
【課題を解決するための手段】
上述した目的を達成するために、本発明は、複数の入力チャンネルと、それぞれの入力チャンネル毎に設けられ当該入力チャンネルを伝送される入力オーディオ信号を入力側信号処理情報に従って処理する複数の入力側信号処理ユニットと、複数の出力チャンネルと、それぞれの出力チャンネル毎に設けられ当該出力チャンネルを伝送される出力オーディオ信号を出力側信号処理情報に従って処理する複数の出力側信号処理ユニットと、各入力側信号処理ユニットの各出力端と各出力側信号処理ユニットの各入力端とを接続情報に従って互いに接続する接続手段と、を備えた信号処理手段を、具備する。また、互いに異なる入力チャンネルが任意に割り当てられると共に、互いに異なる出力チャンネルが任意に割り当てられ、かつ互いに異なるところに設置可能な複数の操作部をも、具備する。そして、それぞれの操作部は、自身に割り当てられた入力チャンネルに設けられている入力側信号処理ユニットを制御するための入力側信号処理情報を生成する入力側信号処理制御用操作子と、自身に割り当てられた出力チャンネルに設けられている出力側信号処理ユニットを制御するための出力側信号処理情報を生成する出力側信号処理制御用操作子と、当該自身に割り当てられた入力チャンネルに設けられている入力側信号処理ユニットの出力端を自身に割り当てられた出力チャンネルに設けられている出力側信号処理ユニットの入力端のいずれに接続するのかを表す接続情報を生成する接続制御用操作子と、を備えるものである。
【００１１】
即ち、１つの信号処理手段に対して、それぞれ異なるところに設置可能な複数の操作部が設けられている。そして、各操作部には、信号処理手段の有する複数の入力チャンネルのうち互いに異なる入力チャンネルが任意に割り当てられると共に、当該信号処理手段の有する複数の出力チャンネルのうち互いに異なる出力チャンネルが任意に割り当てられている。更に、それぞれの操作部には、自身に割り当てられた入力チャンネルに設けられている入力側信号処理ユニットを制御するための入力側信号処理情報を生成する入力側信号処理制御用操作子と、自身に割り当てられた出力チャンネルに設けられている出力側信号処理ユニットを制御するための出力側信号処理情報を生成する出力側信号処理制御用操作子と、当該自身に割り当てられた入力チャンネルに設けられている入力側信号処理ユニットの出力端を当該自身に割り当てられた出力チャンネルに設けられている出力側信号処理ユニットの入力端のいずれに接続するのかを表す接続情報を生成する接続制御用操作子と、が設けられている。ここで、任意の操作部において、任意の入力側信号処理制御用操作子が操作されると、これに従って、当該入力側信号処理制御用操作子に対応する入力側信号処理ユニットが制御され、これにより、当該入力側信号処理ユニットが設けられた入力チャンネルを伝送される入力オーディオ信号が処理される。そして、任意の出力側信号処理制御用操作子が操作されると、これに従って、当該出力側信号処理制御用操作子に対応する出力側信号処理ユニットが制御され、これにより、当該出力側信号処理ユニットが設けられた出力チャンネルを伝送される出力オーディオ信号が処理される。更に、接続制御用操作子が操作されると、これに従って、当該任意の操作部に割り当てられた入力チャンネルに設けられている入力側信号処理ユニットの出力端と、当該任意の操作部に割り当てられた出力チャンネルに設けられている出力側信号処理ユニットの入力端とが、互いに接続される。これによって、当該任意の操作部に割り当てられた入力チャンネルを伝送される入力オーディオ信号が、混合及び分配されて、出力オーディオ信号として、当該任意の操作部に割り当てられた出力チャンネルへと出力される。
【００１４】
そして更に、この発明における接続制御用操作子は、当該接続制御用操作子を備える操作部に割り当てられた出力チャンネルに設けられている出力側信号処理ユニットの入力端を、当該操作部に割り当てられておらずかつ入力オーディオ信号としてモニタ用の基準音響信号が入力されている入力チャンネルに設けられている入力側信号処理ユニットの出力端に、接続するための接続情報をも、生成可能とされている。
【００１５】
即ち、任意の操作部において、当該任意の操作部に割り当てられていない入力チャンネルに入力されているモニタ用の基準音響信号を、当該任意の操作部に割り当てられている出力チャンネルに分配（出力）させることができる。なお、ここで言う基準音響信号としては、例えば一定の可聴周波数で、かつ一定の信号レベルの、サイン波がある。
【００１６】
【発明の実施の形態】
本発明に係るオーディオミキサの実施の形態について、その一例を図１から図３を参照して説明する。図１は、同実施の形態に係るオーディオミキサ全体の概略構成を示すブロック図である。同図に示すように、このオーディオミキサは、１台の信号処理部１に対して、複数、例えば２台の操作部Ａ及びＢを、制御部、例えばＣＰＵ２を介してそれぞれ個別に接続し、上記信号処理部１を各操作部Ａ及びＢで制御するよう構成したものである。なお、上記信号処理部１については、図２に示すように、その内部構成が上述した図５に示す従来技術のものと同等であるので、本実施の形態においては、上記信号処理部１の構造についての詳細な説明は省略する。
【００１７】
即ち、各操作部Ａ及びＢは、上述した図４に示す従来の操作部１００と同様に、それぞれ上記信号処理部１の各信号処理ユニット１１（各フィルタ１２や各フェーダ１３）を調整するための図示しない複数の入力チャンネルモジュール及び複数の出力チャンネルモジュール（これら各モジュールには、上記フィルタ１２の周波数特性を調整するための回転ツマミや、上記フェーダ１３のレベルを調整するためのスライドツマミ（いずれも図示せず）等が設けられている。）を備えている。ただし、これら各操作部Ａ及びＢには、信号処理部１の有する複数の入出力チャンネルのうちそれぞれ異なる入出力チャンネルが割り当てられており、例えば操作部Ａには入力チャンネルＣｈ２５３乃至Ｃｈ２５６の４つの入力チャンネルと出力チャンネルＣｈ３１乃至Ｃｈ３２の２つの出力チャンネルとが、一方、操作部Ｂには例えば入力チャンネルＣｈ１乃至Ｃｈ４及びＣｈ３３乃至Ｃｈ３６の計８つの入力チャンネルと出力チャンネルＣｈ１乃至Ｃｈ４の４つの出力チャンネルとが、それぞれ割り当てられている。
【００１８】
そして、上記各操作部Ａ及びＢにそれぞれ割り当てられた各入出力チャンネルの各信号処理ユニット１１の制御が、更に各操作部Ａ及びＢの各モジュールに割り当てられている。
【００１９】
即ち、操作部Ａの各入力チャンネルモジュールには、入力チャンネルＣｈ２５３乃至Ｃｈ２５６の４つの入力チャンネルにそれぞれ設けられている信号処理ユニット（図２において点線１６で囲まれた各信号処理ユニット）１１の処理の制御が、また各出力チャンネルモジュールには、出力チャンネルＣｈ３１乃至Ｃｈ３２の２つの出力チャンネルにそれぞれ設けられている信号処理ユニット（図２において点線１７で囲まれた各信号処理ユニット）１１の処理の制御が、それぞれ割り当てられている。従って、これら各モジュールに設けられた上記各ツマミを操作すると、これに応じた操作信号がＣＰＵ２に送られ、ＣＰＵ２は、上記操作信号に応じた制御信号を信号処理部１に送信する。そして、信号処理部１内において、上記各点線１６及び１７で囲まれた信号処理ユニット１１のうち、上記各ツマミに対応するものが、上記制御信号に従って、即ち上記各ツマミの操作状態に応じた信号処理情報に従って制御される。なお、上記各点線１６及び１７で囲まれた信号処理ユニット１１については、操作部Ａの各モジュールのみにより制御可能であり、他の操作部、即ち操作部Ｂによる制御は不可能とされている。
【００２０】
一方、操作部Ｂの各入力チャンネルモジュールには、入力チャンネルＣｈ１乃至Ｃｈ４及びＣｈ３３乃至Ｃｈ３６の計８つの入力チャンネルにそれぞれ設けられている信号処理ユニット（図２において点線１８及び１９で囲まれた各信号処理ユニット）１１の処理の制御が、また各出力チャンネルモジュールには、出力チャンネルＣｈ１乃至Ｃｈ４の４つの出力チャンネルにそれぞれ設けられている信号処理ユニット（図２において点線２０で囲まれた各信号処理ユニット）１１の処理の制御が、それぞれ割り当てられている。従って、これら各モジュールに設けられた上記各ツマミを操作すると、これに応じた操作信号がＣＰＵ２に送られ、ＣＰＵ２は、上記操作信号に応じた制御信号を信号処理部１に送信する。そして、信号処理部１内において、上記各点線１８、１９及び２０で囲まれた信号処理ユニット１１のうち、上記各ツマミに対応するものが、上記制御信号に従って、即ち上記各ツマミの操作状態に応じた信号処理情報に従って制御される。なお、上記各点線１８、１９及び２０で囲まれた信号処理ユニット１１については、操作部Ｂの各モジュールのみにより制御可能であり、他の操作部、即ち操作部Ａによる制御は不可能とされている。
【００２１】
なお、上記各操作部Ａ及びＢそれぞれにおいて、各入力チャンネルモジュールは、各入力チャンネルに設けられた各信号処理ユニット１１に対してそれぞれ固定的に対応しているのではなく、いずれの入力チャンネルモジュールに対していずれの入力チャンネルに設けられた信号処理ユニット１１の処理の制御を割り当てるのかを、自由に設定できる。しかも、１つの入力チャンネルモジュールに対して、複数の入力チャンネルにそれぞれ設けられた複数の信号処理ユニット１１の処理の制御を割り当てることもでき、これにより１つの入力チャンネルモジュールの操作によって、上記複数の信号処理ユニット１１を一斉に制御することができる。ただし、１つの信号処理ユニットの処理の制御を、両方の操作部Ａ及びＢに対して、それぞれ同時に割り当てることはできない。なお、この割り当て制御については、各操作部Ａ及びＢの各出力チャンネルモジュールに対して、各出力チャンネルに設けられた各信号処理ユニット１１を割り当てる場合にも同様である。また、これら各モジュールに対する各信号処理ユニット１１の割り当ては、例えば各操作部Ａ及びＢにそれぞれ設けられている図示しない割当制御用の操作子、例えばキーボードからのキー入力により、各操作部Ａ及びＢ毎にそれぞれ個別に制御される。
【００２２】
そして、上記各操作部Ａ及びＢにそれぞれ割り当てられた各入出力チャンネル間（各入出力チャンネルの信号処理ユニット１１間）に設けられている各スイッチ回路１５のＯＮ／ＯＦＦ制御についても、上記各操作部Ａ及びＢによって、それぞれ個別に制御される。即ち、各操作部Ａ及びＢは、それぞれ個別に上記各スイッチ回路１５のＯＮ／ＯＦＦを制御するための操作子、例えば図示しないキーボードやタッチディスプレイを有している。そして、各操作部Ａ及びＢにそれぞれ設けられた上記キーボード又はタッチディスプレイを操作することにより、それぞれに割り当てられた各入出力チャンネル間の接続／非接続状態を切り換えることができる。
【００２３】
例えば、操作部Ａに設けられた上記キーボード又はタッチディスプレイを操作すると、これに応じた操作信号がＣＰＵ２に送られ、ＣＰＵ２は、この操作信号に応じた制御信号を信号処理部１に送信する。そして、信号処理部１内において、上記制御信号に従って、即ち上記キーボード又はタッチディスプレイ（スイッチ回路１５制御用の操作子）の操作状態に応じた所謂接続情報に従って、この操作部Ａに割り当てられた各入出力チャンネル間の接続／非接続状態を切り換える各スイッチ回路（図２において点線２１で囲まれたスイッチ回路）１５がＯＮ／ＯＦＦ制御される。そして、これら各スイッチ回路１５のＯＮ／ＯＦＦ制御に従って、各入力チャンネルＣｈ２５２乃至Ｃｈ２５６から入力されたオーディオ信号が混合及び分配され、各出力チャンネルＣｈ３１乃至Ｃｈ３２へと出力されることになる。
【００２４】
なお、上記各点線２１で囲まれた各スイッチ回路１５については、操作部Ａに設けられた上記キーボードやタッチディスプレイのみにより制御可能であり、他の操作部、即ち操作部Ｂによる制御は不可能とされている。従って、この操作部Ａに割り当てられた入力チャンネルＣｈ２５３乃至Ｃｈ２５６及び出力チャンネルＣｈ３１及びＣｈ３２は、他の入出力チャンネルから完全に独立した状態となる。
【００２５】
更に、操作部Ａに割り当てられた出力チャンネルＣｈ３１乃至Ｃｈ３２については、この操作部Ａに設けられた上記キーボードやタッチディスプレイのみにより、いずれの入力チャンネルとも任意に接続できるよう制御可能とされている（図２において点線２６で囲まれた部分）。このように構成することにより、この操作部Ａに割り当てられていない入力チャンネルから入力されているオーディオ信号についても、この操作部Ａに設けられた上記キーボードやタッチディスプレイの操作により、任意（自由）にモニタすることができる。これは、例えばいずれかの入力チャンネル、例えばＣｈ２５２に基準音響信号（例えば一定の可聴周波数かつ一定の信号レベルのサイン波）が入力されており、これをモニタする場合等に非常に有効である。
【００２６】
一方、操作部Ｂに割り当てられた各入出力チャンネル間の接続／非接続状態を制御する場合についても、上記操作部Ａの場合と同様である。即ち、操作部Ｂに設けられた上記キーボード又はタッチディスプレイ（スイッチ回路１５制御用の操作子）を操作すると、これに応じた操作信号がＣＰＵ２に送られ、ＣＰＵ２は、この操作信号に応じた制御信号を信号処理部１に送信する。そして、信号処理部１内において、上記制御信号に従って、即ち上記キーボード又はタッチディスプレイの操作状態に応じた所謂接続情報に従って、この操作部Ｂに割り当てられた各入出力チャンネル間の接続／非接続状態を切り換える各スイッチ回路（図２において点線２２及び２３で囲まれたスイッチ回路）１５がＯＮ／ＯＦＦ制御される。そして、これら各スイッチ回路１５のＯＮ／ＯＦＦ制御に従って、各入力チャンネルＣｈ１乃至Ｃｈ４及びＣｈ３３乃至Ｃｈ３６から入力されたオーディオ信号が混合及び分配され、各出力チャンネルＣｈ１乃至Ｃｈ４へと出力されることになる。
【００２７】
なお、上記各点線２２及び２３で囲まれた各スイッチ回路１５については、操作部Ｂに設けられた上記キーボードやタッチディスプレイのみにより制御可能であり、他の操作部、即ち操作部Ａによる制御は不可能とされている。従って、この操作部Ｂに割り当てられた入力チャンネルＣｈ１乃至Ｃｈ４、Ｃｈ３３乃至３６、及び出力チャンネルＣｈ１及びＣｈ４は、他の入出力チャンネルから完全に独立した状態となる。
【００２８】
更に、操作部Ｂに割り当てられた出力チャンネルＣｈ１乃至Ｃｈ４についても、この操作部Ｂに設けられた上記キーボードやタッチディスプレイのみにより、いずれの入力チャンネルとも任意に接続できるよう制御可能とされている（図２において点線２４及び２５で囲まれた部分）。このように構成することにより、この操作部Ｂに割り当てられていない入力チャンネルから入力されているオーディオ信号についても、この操作部Ｂに設けられた上記キーボードやタッチディスプレイの操作により、任意（自由）にモニタすることができる。従って、例えばいずれかの入力チャンネル、例えばＣｈ５やＣｈ３２、Ｃｈ３７等に基準音響信号（例えば一定の可聴周波数かつ一定の信号レベルのサイン波）が入力されており、これをモニタする場合等に非常に有効である。
【００２９】
上記のように、本実施の形態によれば、１台の信号処理部１の各入出力チャンネルが、２台の操作部Ａ及びＢにそれぞれ個別に割り当てられており、これら各操作部Ａ乃至Ｂにより、それぞれに割り当てられた入出力チャンネルを伝送されるオーディオ信号の処理、及びこれら各オーディオ信号の混合及び分配を制御することができる。即ち、あたかも２台の独立したオーディオミキサが構成されたのと等価な状態となる。
【００３０】
従って、例えば図１に示すように、各操作部Ａ及びＢをそれぞれ異なるスタジオＡ及びＢに配置し、各スタジオＡ及びＢにおいて、それぞれ全く関係のない２種類の音響調整作業、例えばスタジオＡにおいてはジャズ音楽の音響調整を、一方スタジオＢにおいては例えばオーケストラの音響調整作業を、それぞれ独立した状態で同時に実施することができる。このように、信号処理部１の有する入出力チャンネルを、複数の操作部によりそれぞれ独立した状態で制御することができるので、上記信号処理部１の有する入出力チャンネルを、全て有効に使用することができる。なお、図１における３、４は、入出力端子のみを備えたパッチ盤である。
【００３１】
なお、本実施の形態においては、信号処理部１に対して２台の操作部Ａ及びＢを設ける場合について説明したが、更に多くの操作部を設けてもよい。
【００３２】
また、各操作部Ａ及びＢに割り当てる入出力チャンネルの数、及びいずれの入出力チャンネルを割り当てるかについては、上記に限らない。
【００３４】
そして、図２に示すＣＰＵ２については、操作部Ａ及びＢのいずれかに内蔵してもよい。更に、信号処理部１と各操作部Ａ及びＢとをそれぞれ独立した構成としたが、例えば図３に示すように、信号処理部１と操作部Ａ又はＢとを１つのケース５内に収めた構成としてもよい。
【００３５】
【発明の効果】
この発明によれば、１つの信号処理手段の有する複数の入力チャンネルが、それぞれ個別に複数の操作部に割り当てられると共に、当該信号処理手段の有する複数の出力チャンネルが、それぞれ個別に当該複数の操作部に割り当てられている。そして、それぞれの操作部において、当該操作部に割り当てられた入力チャンネルを伝送される入力オーディオ信号の処理、及び出力チャンネルを伝送される出力オーディオ信号の処理を、制御することができる。更に、入力オーディオ信号の混合及び分配を制御することもできる。即ち、あたかも複数の（詳しくは上記操作部の数だけの）独立したオーディオミキサが構成されたのと等価な状態となる。従って、上記信号処理手段に対して、全く関係のない複数の音響調整作業をそれぞれ独立した状態で同時に実施させることができる。よって、上記信号処理手段の有する入力チャンネルおよび出力チャンネルのうち、使用されていない（未使用の）チャンネルがあったとしても、この未使用のチャンネルを他の音響調整作業に使用することができる。即ち、上述した従来技術とは異なり、未使用チャンネルを有効利用できるという効果がある。この効果は、数多くの入力チャンネルおよび出力チャンネルを有する多チャンネル型のオーディオミキサにとって、非常に有効である。
【００３７】
そして更に、任意の操作部において、当該任意の操作部に割り当てられていない入力チャンネルに入力されているモニタ用の基準音響信号を、当該任意の操作部に割り当てられている出力チャンネルに分配（出力）させることができる。即ち、当該基準音響信号をモニタするのに、特に有効である。
【図面の簡単な説明】
【図１】本発明に係るオーディオミキサの実施の形態を示す図で、全体の概略構成を示すブロック図である。
【図２】同実施の形態における信号処理部の内部構成図である。
【図３】同実施の形態において、信号処理部と操作部とを１つのケース内に収めた状態を示す斜視図である。
【図４】従来のオーディオミキサの概略構成図である。
【図５】従来のオーディオミキサの信号処理部を示す図で、（ａ）は、その内部構成図で、（ｂ）は、（ａ）の点線１４で囲まれた部分を拡大して等価的に表現した図である。
【符号の説明】
１  信号処理部（ＤＳＰ：信号処理手段）
２  ＣＰＵ
１１  信号処理ユニット
１５  スイッチ回路（接続手段）
【図１】
0003811219.tif 000002
【図２】
0003811219.tif 000003
【図３】
0003811219.tif 000004
【図４】
0003811219.tif 000005
【図５】
0003811219.tif 000006